(57)【特許請求の範囲】
【請求項１】
軸物部材からなる被加工物の旋削装置であって、
前記被加工物の端部を、高圧力のチャッキング圧と、該高圧力のチャッキング圧に比べて低圧力のチャッキング圧との何れかのチャッキング圧を選択してチャッキングしつつ、前記被加工物の軸心を中心にして前記被加工物を駆動回転させるチャッキング手段と、
前記被加工物の軸心と交差する方向に沿って前記被加工物に向かって移動し、前記チャッキング手段によって駆動回転する前記被加工物に対して、荒切削加工、および該荒切削加工の終了後に実行される仕上げ切削加工を行う切削手段と、
前記切削手段によって切削加工された前記被加工物の軸心の芯振れ度合いを測定する測定手段と、
を備え、
前記荒切削加工は、前記チャッキング手段が前記被加工物を高圧力のチャッキング圧でチャッキングした状態で実行され、
前記仕上げ切削加工は、前記チャッキング手段が前記被加工物を低圧力のチャッキング圧でチャッキングした状態で実行され、
前記荒切削加工の終了後、且つ前記仕上げ切削加工の実行前において、
前記チャッキング手段は、前記被加工物を一旦アンチャッキングした後、低圧力のチャッキング圧で前記被加工物を再びチャッキングし、
前記荒切削加工の終了後、且つ前記アンチャッキングの実行前において、
前記測定手段は、前記被加工物の軸心に関する第一の芯振れ度合いを測定し、
前記第一の芯振れ度合いの測定結果に基づいて、前記仕上げ切削加工に関する加工条件が設定される、
ことを特徴とする旋削装置。
【請求項２】
前記チャッキング手段は、前記低圧力のチャッキング圧として、前記高圧力のチャッキング圧に比べて低圧力な複数種類の圧力を設定可能とし、
前記測定手段は、前記アンチャッキングの実行後、且つ前記チャッキングの実行前に、前記被加工物の軸心に関する第二の芯振れ度合いを測定し、
前記チャッキング手段は、前記第一の芯振れ度合い、および前記第二の芯振れ度合いに関する測定結果に基づいて、前記仕上げ切削加工を行う際の低圧力のチャッキング圧を、前記複数種類の低圧力のチャッキング圧から選択する、
ことを特徴とする請求項１に記載の旋削装置。
【請求項３】
前記測定手段は、レーザー光を用いて前記被加工物の軸心の芯振れ度合いを測定する、
ことを特徴とする、請求項１、または請求項２に記載の旋削装置。
【請求項４】
軸物部材からなる被加工物の旋削方法であって、
前記被加工物の端部を高圧力のチャッキング圧によってチャッキングする高圧チャッキング工程と、
前記高圧チャッキング工程によってチャッキングされた前記被加工物を、軸心を中心にして駆動回転させつつ荒切削加工を実行する荒切削工程と、
前記荒切削工程によって荒切削加工された前記被加工物の軸心に関する第一の芯振れ度合いを測定する第一測定工程と、
前記第一測定工程の終了後、前記被加工物の端部をアンチャッキングするアンチャッキング工程と、
前記アンチャッキング工程によってアンチャッキングされた前記被加工物の端部を、前記高圧チャッキング工程に比べて低圧力のチャッキング圧によって再びチャッキングする低圧チャッキング工程と、
前記低圧チャッキング工程によってチャッキングされた前記被加工物を、軸心を中心にして駆動回転させつつ、前記第一の芯振れ度合いの測定結果に基づいて設定された加工条件によって仕上げ切削加工を実行する仕上げ切削工程と、
を有する、
ことを特徴とする旋削方法。
【請求項５】
前記低圧チャッキング工程によるチャッキング圧には、前記高圧チャッキング工程によるチャッキング圧に比べて低圧力な複数種類の圧力が用意され、
前記アンチャッキング工程と前記低圧チャッキング工程との間には、前記アンチャッキング工程によってアンチャッキングした前記被加工物の軸心に関する第二の芯振れ度合いを測定する第二測定工程を有し、
前記第一の芯振れ度合い、および前記第二の芯振れ度合いに関する測定結果に基づいて、前記低圧チャッキング工程にて用いる低圧力のチャッキング圧を、前記複数種類の低圧力のチャッキング圧から選択する、
ことを特徴とする請求項４に記載の切削方法。
【請求項６】
前記被加工物の軸心の芯振れ度合いの測定を、レーザー光を用いて行う、
ことを特徴とする、請求項４、または請求項５に記載の旋削方法。
【発明の詳細な説明】
【技術分野】
【０００１】
本発明は、例えばエンジンの構成部品であるカムシャフトのような、軸物部材からなる被加工物を切削加工する旋削装置において、安定した芯振れ精度を確保しつつ、該被加工物を切削加工する技術に関する。
【背景技術】
【０００２】
従来から、例えばエンジンの構成部品の一つであるカムシャフトなど、軸物部材からなる被加工物の形成については、旋削装置による切削加工によって行われている。
ここで、旋削装置は、装置全体の基部であるテーブルを有し、該テーブルの上面に主軸台や心押し台や刃物台などを配設して構成される。
前記主軸台と心押し台は、テーブル上面に各々対峙して配設されるとともに、これら主軸台と心押し台において、互いに対向する側の側面には、同軸上に突出されるセンタ部が各々嵌設される。また、主軸台のセンタ部の周囲には、複数の爪部を有するチャック装置が、回転駆動可能に配設される。
そして、これら主軸台と心押し台との近傍には、バイトを有する刃物台が配設され、該刃物台は、これら主軸台と心押し台との間を摺動移動可能に設けられる。
【０００３】
このような旋削装置によって被加工物を切削加工する際は、先ず、センタ部によって被加工物の両端部を挟持（センタクランプ）するとともに、チャック装置の有する複数の爪部を摺動移動させ被加工物の一端部を握持（チャッキング）し、前記チャック装置によって、被加工物の軸心を中心として、該被加工物を高速回転させる。
その後、高速回転する被加工物の所定の箇所に刃物台を移動させ、該被加工物の外周部にバイトの刃先を切り込むことで切削加工が行われる。
【０００４】
ところで、被加工物の一例であるカムシャフトにおいては、軸心方向に沿って複数のジャーナル部が形成され、これらジャーナル部は、カムシャフトをエンジンへ組付ける際に軸受との接触面となることから、「芯振れ度合い」や「外径寸法」について、安定した精度を確保することが必要となる。
しかし、従来の旋削装置においては、被加工物に対する切削加工を、一度の「荒切削加工」のみによって実行しており、切削加工後における被加工物（カムシャフト）に対して、安定した芯振れ精度を確保することが困難であった。
【０００５】
即ち、被加工物は旋削装置によって切削加工が実行される以前に、焼入れによる表面処理が施されており、該表面処理の実行過程において、被加工物の外周部の内部には、残留応力が蓄積されている。
前記残留応力は、厳密に言えば、被加工物の全ての領域に対して、同程度の値を有して均一に内在してはおらず、部分的にバラツキを生じて内在する。
このような被加工物に対して、複数箇所に及ぶジャーナル部を、一度の「荒切削加工」により連続的に形成しても、各ジャーナル部において、切削加工時に残留応力が与える影響は異なり、切削加工後における被加工物に対して安定した芯振れ精度を確保することが困難であった。
【０００６】
また、「荒切削加工」では、被加工物の外周部に存在する黒皮（鋼材を熱間圧延する際に生じる酸化皮膜）を除去しつつ、被加工物を最終形状にまで切削加工するため、被加工物の外周部にバイトを突き立てる際の圧力も高圧力となる。
よって、被加工物がバイトより受ける反力に対して、十分対抗することができるように、チャック装置は高圧力にて被加工物をチャッキングする必要がある。
このような高圧力による被加工物のチャッキングを行う際、例えば、チャック装置の軸心と、センタ部の軸心との間に僅かなズレが生ずる場合には、被加工物に捩れが生じることとなり、被加工物に対して安定した芯振れ精度を確保することが困難であった。
【０００７】
即ち、図５（ａ）に示すように、主軸台１０１において、例えばチャック装置１１２の軸心（図５におけるＸ１）と、センタ部１１４の軸心（図５におけるＸ２）とが同軸上に存在せず僅かなズレが生じる場合、被加工物１０６の端面中央部に設けられるセンタ穴１０６ｂにセンタ部１１４の先端部を挿嵌すれば、被加工物１０６はセンタ部１１４と同軸上に配設され、被加工物１０６の軸心と、チャック装置１１２の軸心（Ｘ１）との間にズレが生じることとなる。
【０００８】
このような状態において、高圧力のチャッキング圧によってチャック装置１１２をチャッキングすれば、図５（ｂ）に示すように、被加工物１０６の一端部は、複数の爪部１１５・１１５・・・によって、該被加工物１０６の軸心がセンタ部１１４の軸心（Ｘ１）上になるように強制的に押しやられる。
【０００９】
その結果、被加工物１０６の一端部は捻れた状態を保持しつつチャック装置１１２によってチャッキングされ、このような状態のまま被加工物１０６に切削加工を実行しても、切削加工後の被加工物１０６に対して安定した芯振れ精度を確保することが困難であった。
【００１０】
更に、「荒切削加工」は、高速回転する被加工物の外周面上に、バイトの刃先を高圧力にて継続的に突き立てながら被加工物の切削加工が実行されるところ、この際、被加工物の外周面と、バイトの刃先との間に発生する内部応力は、全て被加工物の内部に蓄積されることとなる。
【００１１】
よって、「荒切削加工」が終了した直後においては、被加工物は、前記内部応力を内在しつつ、チャック装置、および主軸台と心押し台との両センタ部によって、矯正されつつチャッキング、およびセンタクランプされた状態となる。
【００１２】
このような状態によって切削加工が施された被加工物に対して、切削加工の終了後にチャック装置、および主軸台と心押し台との両センタ部をともに開放すれば、被加工物は、直ちに自然な状態（チャッキングやセンタクランプなどによる外部からの力を全く受けない状態）に復元（変形）される。
【００１３】
そして、図６に示すように、例えば、自然な状態に復元（変形）された被加工物１０６は、チャッキングやセンタクランプによって確固に固定保持される両端部より、軸心方向中央部に向かうごとに前記内部応力の影響を大きく受け、軸心１０６ａが円弧状に大きく歪んだ形状となり、被加工物１０６に対して安定した芯振れ精度を確保することが困難であった。
【００１４】
このような問題点を改善するべく、以下に示す様々な技術が開示されている。
例えば、「特許文献１」においては、砥石を用いた研削方法に関する技術ではあるが、同一軸線上に複数個のカムが配置された軸部材（カムシャフト）を支持した状態で、これらの各カムを砥石によって順次研削加工するカム研削加工であって、前記砥石に対してツルーイングを行った直後は前記の各カムのうち、支持剛性の高いカムから順に研削加工を行うことを特徴とする技術が開示されている。
【００１５】
また、「特許文献２」においても、前記「特許文献１」と同様に、砥石を用いた研削方法に関する技術ではあるが、テーブル上に軸支された軸状部材に対して研削用工具を支持した工具台を進退させて該軸状部材を研削加工する軸状部材の研削加工方法であって、前記軸状部材を研削する研削加工サイクルは、前記研削用工具の切り込み量が大きい粗研削工程と、前記研削用工具の切り込み量が小さい仕上げ研削工程と、前記研削用工具の切り込み時に前記軸状部材の軸方向に前記研削用工具または該軸状部材の少なくとも何れか一方を摺動させるオシュレーション工程と、からなることを特徴とする技術が開示されている。
【００１６】
さらに、「特許文献３」においては、切削加工後の軸物部品に関する「芯振れ度合い」や「外径寸法」などの計測方法に関する技術ではあるが、帯状のレーザー光を投射する透過型レーザーセンサーと一軸のロボットを組合せ、計測データをパソコンなどの数値演算処理装置に取り込み演算することにより、複数箇所の外径、振れ、長手方向寸法を自動計測することを特徴とする技術が開示されている。
【先行技術文献】
【特許文献】
【００１７】
【特許文献１】特開平１０−２２５８５６号公報
【特許文献２】特開２００２−３０１６５０号公報
【特許文献３】特開２００１−８２９３３号公報
【発明の概要】
【発明が解決しようとする課題】
【００１８】
前記「特許文献１」に開示される技術に拠れば、断面積が大きく支持剛性の高いカムを先に研削した後に、断面積が小さく支持剛性の低いジャーナル部を研削することとしているため、「荒切削加工」の際に、被加工物の内部に蓄積される内部応力の発生を極力抑えることが可能となり、切削加工後の被加工部物に対して安定した芯振れ精度を確保することができるようにも思われる。
【００１９】
また、前記「特許文献２」に開示される技術に拠れば、研削加工の工程を、粗研削工程と、該粗研削工程の終了後に実行される仕上げ研削工程とに分けて行うこととしており、前記仕上げ研削工程では、切り込み量を小さく抑えて実行するため、最終的に被加工物の内部に蓄積される内部応力の発生を極力抑えることが可能となり、切削加工後の被加工物に対して安定した芯振れ精度を確保することができるようにも思われる。
【００２０】
しかし、これら「特許文献１」や「特許文献２」に開示される技術によっても、「荒切削加工」の際に、被加工物の内部に蓄積される内部応力の発生を根本的に無くすことはできない。
また、各々の被加工物に対して、表面処理によって内在する残留応力の影響や、チャック装置とセンタ部との軸心のズレから生じる捻れの発生についてまでは、対応することが難しく、切削加工後における被加工物に対して安定した芯振れ精度を確保するべく、抜本的な解決には至っていない。
【００２１】
また、前記「特許文献３」に拠れば、切削加工後における軸物部品の「芯振れ度合い」を正確に測定することができ、測定された情報に基づいて、旋削装置による切削加工を繰り返すことで、軸物部品に対して安定した芯振れ精度を確保することができるようにも思われる。
しかし、被加工物を切削加工するための工数が増加し、経済的ではない。また、旋削装置の切削加工において、切削加工後における被加工物に対して安定した芯振れ精度を確保するべく、抜本的な解決策とはなっていない。
【００２２】
本発明は、以上に示した現状の問題点を鑑みてなされたものであり、例えばエンジンの構成部品であるカムシャフトのような、軸物部材からなる被加工物を切削加工する旋削装置、および旋削方法において、該旋削装置によって切削加工される各々の被加工物が、表面処理による残留応力の影響や、チャック装置とセンタ部との軸心のズレから生じる捻れの影響や、「荒切削加工」の際に発生する内部応力の影響などを受けることなく、切削加工後の被加工物に対して安定した芯振れ精度を確保できる旋削装置、および旋削方法を提供することを課題とする。
【課題を解決するための手段】
【００２３】
本発明の解決しようとする課題は以上の如くであり、次にこの課題を解決するための手段を説明する。
【００２４】
即ち、請求項１においては、軸物部材からなる被加工物の旋削装置であって、前記被加工物の端部を、高圧力のチャッキング圧と、該高圧力のチャッキング圧に比べて低圧力のチャッキング圧との何れかのチャッキング圧を選択してチャッキングしつつ、前記被加工物の軸心を中心にして前記被加工物を駆動回転させるチャッキング手段と、前記被加工物の軸心と交差する方向に沿って前記被加工物に向かって移動し、前記チャッキング手段によって駆動回転する前記被加工物に対して、荒切削加工、および該荒切削加工の終了後に実行される仕上げ切削加工を行う切削手段と、前記切削手段によって切削加工された前記被加工物の軸心の芯振れ度合いを測定する測定手段と、を備え、前記荒切削加工は、前記チャッキング手段が前記被加工物を高圧力のチャッキング圧でチャッキングした状態で実行され、前記仕上げ切削加工は、前記チャッキング手段が前記被加工物を低圧力のチャッキング圧でチャッキングした状態で実行され、前記荒切削加工の終了後、且つ前記仕上げ切削加工の実行前において、前記チャッキング手段は、前記被加工物を一旦アンチャッキングした後、低圧力のチャッキング圧で前記被加工物を再びチャッキングし、前記荒切削加工の終了後、且つ前記アンチャッキングの実行前において、前記測定手段は、前記被加工物の軸心に関する第一の芯振れ度合いを測定し、前記第一の芯振れ度合いの測定結果に基づいて、前記仕上げ切削加工に関する加工条件が設定されるものである。
【００２５】
請求項２においては、請求項１に記載の切削装置であって、前記チャッキング手段は、前記低圧力のチャッキング圧として、前記高圧力のチャッキング圧に比べて低圧力な複数種類の圧力を設定可能とし、前記測定手段は、前記アンチャッキングの実行後、且つ前記チャッキングの実行前に、前記被加工物の軸心に関する第二の芯振れ度合いを測定し、前記チャッキング手段は、前記第一の芯振れ度合い、および前記第二の芯振れ度合いに関する測定結果に基づいて、前記仕上げ切削加工を行う際の低圧力のチャッキング圧を、前記複数種類の低圧力のチャッキング圧から選択するものである。
【００２６】
請求項３においては、請求項１、または請求項２に記載の旋削装置であって、前記測定手段は、レーザー光を用いて前記被加工物の軸心の芯振れ度合いを測定するものである。
【００２７】
請求項４においては、軸物部材からなる被加工物の旋削方法であって、前記被加工物の端部を高圧力のチャッキング圧によってチャッキングする高圧チャッキング工程と、前記高圧チャッキング工程によってチャッキングされた前記被加工物を、軸心を中心にして駆動回転させつつ荒切削加工を実行する荒切削工程と、前記荒切削工程によって荒切削加工された前記被加工物の軸心に関する第一の芯振れ度合いを測定する第一測定工程と、前記第一測定工程の終了後、前記被加工物の端部をアンチャッキングするアンチャッキング工程と、前記アンチャッキング工程によってアンチャッキングされた前記被加工物の端部を、前記高圧チャッキング工程に比べて低圧力のチャッキング圧によって再びチャッキングする低圧チャッキング工程と、前記低圧チャッキング工程によってチャッキングされた前記被加工物を、軸心を中心にして駆動回転させつつ、前記第一の芯振れ度合いの測定結果に基づいて設定された加工条件によって仕上げ切削加工を実行する仕上げ切削工程と、を有するものである。
【００２８】
請求項５においては、請求項４に記載の旋削方法であって、前記低圧チャッキング工程によるチャッキング圧には、前記高圧チャッキング工程によるチャッキング圧に比べて低圧力な複数種類の圧力が用意され、前記アンチャッキング工程と前記低圧チャッキング工程との間には、前記アンチャッキング工程によってアンチャッキングした前記被加工物の軸心に関する第二の芯振れ度合いを測定する第二測定工程を有し、前記第一の芯振れ度合い、および前記第二の芯振れ度合いに関する測定結果に基づいて、前記低圧チャッキング工程にて用いる低圧力のチャッキング圧を、前記複数種類の低圧力のチャッキング圧から選択するものである。
【００２９】
請求項６においては、請求項４、または請求項５に記載の旋削方法であって、前記被加工物の軸心の芯振れ度合いの測定を、レーザー光を用いて行うものである。
【発明の効果】
【００３０】
本発明の効果として、以下に示すような効果を奏する。
【００３１】
即ち、本発明に拠れば、例えばエンジンの構成部品であるカムシャフトのような、軸物部材からなる被加工物を切削加工する旋削装置および旋削方法において、該旋削装置によって切削加工される各々の被加工物が、表面処理による残留応力の影響や、チャック装置とセンタ部との軸心のズレから生じる捻れの影響や、「荒切削加工」の際に発生する内部応力の影響などを受けることなく、切削加工後の被加工物に対して安定した芯振れ精度を確保できる旋削装置、および旋削方法を提供することができる。
【図面の簡単な説明】
【００３２】
【図１】本発明の一実施例に係る旋削装置の全体的な構成を示した平面図。
【図２】旋削装置の切削加工に関する運転方法の流れを示したフローチャート。
【図３】心押し台のセンタ部の近傍を示した図であり、（ａ）はセンタクランプ時の状態を示した平面断面図、（ｂ）はセンタ部を僅かに開放した状態を示した平面断面図。
【図４】旋削装置によって切削加工された被加工物（軸物部品）と、従来の旋削装置によって切削加工された被加工物（軸物部品）と、の「芯振れ度合い」を比較した線図。
【図５】主軸台のチャック装置の近傍を示した図であり、（ａ）はアンチャッキング状態を示した平面断面図、（ｂ）はチャッキング状態を示した平面断面図。
【図６】従来の旋削装置によって切削加工された被加工物（軸物部品）の、該切削装置より取り出された後の状態を示した全体図。
【発明を実施するための形態】
【００３３】
［旋削装置１００］
先ず、本発明の一実施例に係る旋削装置１００の構成について、図１を用いて説明する。
なお、以下の説明に関しては、便宜上、図１における矢印Ａの方向を前方と規定して記載する。
【００３４】
旋削装置１００は、軸物部材からなる被加工物６を切削加工するための装置である。
即ち、旋削装置１００は、軸心６ａを中心として被加工物６を高速回転させながら、バイト３３によって該被加工物６の外周面を切削加工するための装置である。
【００３５】
旋削装置１００は、主に主軸台１や心押し台２や刃物台３や検出ユニット４などにより構成され、これら構成部位群１・２・３・４は、図示せぬテーブルの上面において、各々所定の位置に固設される。
【００３６】
即ち、テーブルの上面において、主軸台１と心押し台２とは前後方向に互いに向き合うようにして、幾分かの間隔を有して配設される。また、刃物台３と検出ユニット４は、前後方向における主軸台１と心押し台２との間であって、且つこれら主軸台１と心押し台２の左右方向（図１の矢印Ａの示す方向と直交する方向）の一方側に配設される。
【００３７】
そして、旋削装置１００には制御装置５が備えられ、該制御装置５によってこれら構成部位群１・２・３・４の動作が操作されることで、旋削装置１００の運転が制御される。
【００３８】
先ず始めに、主軸台１について説明する。
主軸台１は、被加工物６の軸心６ａを中心にして、該被加工物６を高速回転させるための部位である。
主軸台１は筐体１１を有し、該筐体１１の後側面部には、チャック装置１２が後方に向かって突出して配設される。また、筐体１１の内部には図示せぬ駆動部や変速機構部などが内装され、該駆動部による回転駆動力が該変速機構部を介して伝達され、チャック装置１２の回転部１３は回転駆動される。
【００３９】
チャック装置１２は、旋削装置１００に被加工物６を固定保持（以下、「チャッキング」と記す）するための既知の固定工具により構成され、被加工物６の一端部をチャッキングするチャッキング手段として主軸台１に配設される。
なお、被加工物６の他端部は、後述する心押し台２によって支持される。
【００４０】
チャック装置１２は、主に本体部１９や回転部１３やセンタ部１４や複数の爪部１５・１５・・・などにより構成される。
本体部１９は、筐体１１の後側面部において、後方に突設して嵌設され、その後端面には回転部１３が配設される。
【００４１】
回転部１３は、短柱形状の部材からなり、本体部１９の後端面において、軸心方向を前後方向に向けて後方に延出するよう配設される。また回転部１３の前端部は、図示せぬ軸受などを介して本体部１９により回転自在に片持ち支持されており、回転部１３は筐体１１に内装される駆動部によって軸心を中心にして高速回転駆動される。
【００４２】
回転部１３の後端面において、その中央部には凹部１３ａが形成される。
前記凹部１３ａは、円形断面を有しつつ、前方に向かってその断面積を徐々に窄めるテーパ（モールステーパ）形状にて形成される。
また、回転部１３の後端面には、その中央部、即ち前記凹部１３ａより半径方向に向かって放射状に形成される複数のガイド部１３ｂ・１３ｂ・・・が形成される。
【００４３】
そして、後述するセンタ部１４が、凹部１３ａを介して回転部１３に支持されるとともに、回転部１３の後端面から後方に向かって突設されている。また、回転部１３の後端面には、複数の爪部１５・１５・・・がガイド部１３ｂ・１３ｂ・・・によって移動方向を規制されつつ、半径方向へ摺動移動可能に配設される。
【００４４】
センタ部１４は略円柱形状の部材からなる既知のレースセンタであり、その前部が前方に向かって緩やかに断面寸法を窄めるシャンク部１４ａに形成されるとともに、その後部１４ｂが後方へ向かうに従って縮径する円錐形状に形成される（以下、前記後部１４ｂを「円錐先端部１４ｂ」と記載する）。なお、円錐先端部１４ｂにおける円錐形状の頂角は、通常６０°に形成されている。
【００４５】
ここで、シャンク部１４ａの外周面の形状は、回転部１３の凹部１３ａの内周面と同形状のテーパ（モールステーパ）形状に形成される。
なお、円錐先端部１４ｂの頂角（６０°）については、本実施例のものに限定されるものではなく、例えば一般的に知られている規格や従来の経験則などから、あらゆる角度をもって形成してもよい。
【００４６】
そして、シャンク部１４ａを前方に向けつつ回転部１３の後方よりセンタ部１４を凹部１３ａに挿入することで、シャンク部１４ａの外周面と、凹部１３ａの内周面とが嵌合し、センタ部１４の前後方向（回転部１３の軸心方向）に関する位置が規制される。
【００４７】
その結果、回転部１３の後面視中央部において、センタ部１４は円錐先端部１４ｂの部位のみを回転部１３の後端面より後方へ突出させた状態にて、該回転部１３に固定保持される。
【００４８】
爪部１５は矩形状の板状部材からなり、長手側の一方の側面部をガイド部１３ｂに沿わせて回転部１３に配設される。
つまり、回転部１３の後端面において、センタ部１４の周囲には複数の爪部１５・１５・・・が放射状に配設され、これら爪部１５・１５・・・は、ガイド部１３ｂ・１３ｂ・・・を介して、各々回転部１３の半径方向に摺動移動可能に設けられる。
【００４９】
そして、これら複数の爪部１５・１５・・・が、例えば回転部１３の半径方向中心側に向かって各々摺動移動することで、チャック装置１２は「閉じ状態（以下、「チャッキング状態」と記す）」となり、また、回転部１３の半径方向外側に向かって各々摺動移動することで、チャック装置１２は「開き状態（以下、「アンチャッキング状態」と記す）」となる。
【００５０】
なお、爪部１５の形状は本実施例に示すものに限定されるものではなく、例えば、後方の側面部（ガイド部１３ｂと対向する側の側面部）を、回転部１３の中心方向に向かってクランク状に形成し、より大きな外径形状を有する被加工物をチャッキング可能な構成としてもよい。
【００５１】
ここで、チャック装置１２の内部には、図示せぬ油圧駆動部が内装されており、該油圧駆動部によって、複数の爪部１５・１５・・・は各々摺動移動される。
即ち、チャック装置１２には油圧配管１７の一端部が導かれ、該一端部は、チャック装置１２の内部において、図示せぬ回転継手などを介して前記油圧駆動部に連通される。
【００５２】
一方、油圧配管１７の他端部は、電磁式バルブユニット１８と連通されるとともに、該電磁式バルブユニット１８は、油圧配管１６を介して、図示せぬ油圧タンクや油圧ポンプなどと連通される。
【００５３】
そして、電磁式バルブユニット１８の切替え操作を行い、油圧配管１７を通じて前記油圧駆動部に作動油を圧送することで、複数の爪部１５・１５・・・は回転部１３の中心方向に向かって一斉に摺動移動され、チャック装置１２は「チャッキング状態」となる。
【００５４】
また、電磁式バルブユニット１８の切替え操作を行い、油圧配管１７を通じて前記油圧駆動部より作動油を排出することで、複数の爪部１５・１５・・・は回転部１３の半径方向に向かって一斉に摺動移動され、チャック装置１２は「アンチャッキング状態」となる。
【００５５】
ここで、油圧配管１６は、一種類の高圧用油圧配管１６ａ、および二種類の低圧用油圧配管１６ｂ・１６ｂとによって構成される。
【００５６】
そして、これら油圧配管１６ａ・１６ｂ・１６ｂは、各々別個の油圧ポンプに連通されており、高圧用油圧配管１６ａにおいては、例えば約２［ａｔｍ］の作動油が電磁式バルブユニット１８に圧送され、低圧用油圧配管１６ｂ・１６ｂにおいては、前記高圧用油圧配管１６ａ内を流れる作動油に比べて低圧の、約０.７［ａｔｍ］、および０.８［ａｔｍ］からなる２種類の作動油が、電磁式バルブユニット１８に各々圧送される。
【００５７】
即ち、電磁式バルブユニット１８の切替え操作によって、チャック装置１２内部の油圧駆動部（図示せず）には、一種類の高圧作動油、および二種類の低圧作動油の内の何れかが圧送され、チャック装置１２は、「チャッキング状態」における爪部１５・１５・・・の握持力（以下、「チャッキング圧」と記載する）を変更可能としている。
【００５８】
そして、チャック装置１２によって被加工物６の一端部をチャッキングするには、先ず、被加工物６の端面中央部に形成されるセンタ穴６ｂにセンタ部１４の円錐先端部１４ｂを挿嵌し、その後、複数の爪部１５・１５・・・を「チャッキング状態」に摺動移動するのである。
【００５９】
その結果、被加工物６はセンタ部１４を介して回転部１３に対する位置が規制され、チャック装置１２と同軸上、且つ後方に向かって延出する姿勢で、該チャック装置１２に確実にチャッキングされる。
そして、回転部１３が主軸台１の筐体１１内の駆動部（図示せず）によって回転駆動されることで、被加工物６は軸心６ａを中心にして回転駆動されるのである。
【００６０】
このように、本実施例における旋削装置１００においては、チャック装置１２におけるチャッキング圧を一種類の高圧力と、二種類の低圧力との内から何れかを選択可能な構成とするとともに、後述するように、被加工物６に対する切削加工を「荒切削加工」と「仕上げ切削加工」との二段階に分けて実行することとしている。
【００６１】
即ち、本実施例における旋削装置１００においては、先ず高圧力のチャッキング圧によって被加工物６をチャッキングしつつ「荒切削加工」を実行し、該「荒切削加工」の終了後に、低圧力のチャッキング圧によって被加工物６をチャッキングしつつ「仕上げ切削加工」を実行し、被加工物６の最終形態を形成するようになっている。
【００６２】
よって、例えばチャック装置１２の軸心と、該チャック装置１２のセンタ部１４の軸心とが同軸上に存在せず、これらの間に僅かなズレが生じる場合においても、被加工物６の一端部を低圧力のチャッキング圧によって保持することが可能となり、該一端部に発生する捻れを効果的に低減させ、安定した芯振れ精度を確保することができるのである。
【００６３】
なお、二種類の低圧力の内、何れのチャッキング圧を選択するかについては、後述の通り、「荒切削加工」の終了後に実行される被加工物６の「芯振れ度合い」の測定結果により判断される。
【００６４】
次に、心押し台２について説明する。
心押し台２は、チャック装置１２と対向する側において、被加工物６の他端部を支持し、主軸台１によって被加工物６を高速回転する際に発生する振れを抑制するための部位である。
心押し台２は筐体２１を有し、該筐体２１の前側面部にはセンタ部２２が前方に向かって突出して配設される。
【００６５】
センタ部２２は既知の回転センタであり、主にシャンク部２２ａと円錐先端部２２ｂとにより構成される。
センタ部２２の後部に配置されるシャンク部２２ａは略円柱形状の部材からなり、後方に向かって緩やかに断面寸法を窄めるテーパ（モールステーパ）形状に形成されている。一方、円錐先端部２２ｂは、前方へ向かうに従って縮径する円錐形状に形成されていて、センタ部２２の前部に配置されている。
【００６６】
円錐先端部２２ｂは、軸受（図示せず）を内装する円筒形状のホルダ部２２ｃと、該ホルダ部２２ｃの前面中央部より前方に向かって、円錐形状を有して突設されるテーパ部２２ｄとにより形成される。
そして、円錐先端部２２ｂは、シャンク部２２ａの前端部において、該シャンク部２２ａと同軸上に配設され、前記軸受を介してテーパ部２２ｄはホルダ部２２ｃに対して回転可能に軸支される。
【００６７】
なお、テーパ部２２ｄの先端部の角度（頂角）についても、前述のセンタ部１４と同様に、通常６０°としているが、これに限定されるものではなく、例えば一般的に知られている規格や従来の経験則などから、あらゆる角度をもって形成してもよい。
【００６８】
一方、筐体２１の前側面部には、正面視中央部に凹部２３ａを有したハウジング部２３が配設され、該凹部２３ａの内周面はシャンク部２２ａと同形状のテーパ（モールステーパ）形状に形成される。
【００６９】
そして、シャンク部２２ａを後方に向けつつハウジング部２３の前方よりセンタ部２２を凹部２３ａに挿入することで、シャンク部２２ａの外周面と、凹部２３ａの内周面とが嵌合し、センタ部２２の前後方向に関する位置が規制される。
【００７０】
その結果、筐体２１の前面部において、センタ部２２はチャック装置１２に備えられるセンタ部１４と同軸上に配設されつつ、円錐先端部２２ｂのテーパ部２２ｄを前方に延出させた状態にて、ハウジング部２３に固定保持される。
【００７１】
ここで、筐体２１の内部には図示せぬ油圧駆動部が内装されており、該油圧駆動部によって、ハウジング部２３はセンタ部２２の軸心に沿って前後方向に摺動移動される。
即ち、筐体２１の内部には油圧配管２４の一端部が導かれ、継手（図示せず）を介して該油圧配管１６の一端部は前記油圧駆動部に連通される。
一方、油圧配管２４の他端部は、図示せぬ油圧タンクや油圧ポンプなどと連通されるとともに、該油圧配管２４の中途部には、電磁式バルブユニット２５が配設される。
【００７２】
そして、電磁式バルブユニット２５の切替え操作を行い、油圧配管２４を通じて前記油圧駆動部に作動油を圧送することで、ハウジング部２３は前方に摺動移動されるとともに、該ハウジング部２３に同調してセンタ部２２も前方に移動される。
また、電磁式バルブユニット２５の切替え操作を行い、油圧配管２４を通じて前記油圧駆動部より作動油を排出することで、ハウジング部２３は後方に摺動移動されるとともに、該ハウジング部２３に同調してセンタ部２２も後方に移動される。
【００７３】
そして、心押し台２によって被加工物６の端部（チャック装置１２と対向する側において、被加工物６の他端部）を支持するには、先ず、被加工物６の一方の端面中央部に形成されるセンタ穴６ｂに、チャック装置１２に備えられるセンタ部１４の円錐先端部１４ｂを挿嵌しつつ、被加工物６の姿勢を保持する（即ち、被加工物６がセンタ部１４と同軸上に位置し、かつ後方に向かって延出される姿勢を保持する）。
その後、ハウジング部２３を前方に摺動移動させ、被加工物６の他方の端面中央部に形成されるセンタ穴６ｃにセンタ部２２のテーパ部２２ｄを挿嵌するのである。
【００７４】
その結果、被加工物６は両センタ部１４・２２の間において、これら両センタ部１４・２２と同軸上に位置が規制されるとともに、被加工物６の他端部（心押し台２側の端部）は心押し台２のセンタ部２２によって確実に支持される。
【００７５】
なお、被加工物６は、これら両センタ部１４・２２によって前後両端部を支持された後、前述のとおり、チャック装置１２に備えられる複数の爪部１５・１５・・・によって、一端部（チャック装置１２側の端部）をチャッキングされる。
【００７６】
そして、チャック装置１２が回転駆動されることで、被加工物６は軸心６ａを中心にして回転駆動され、該被加工物６に同調して、センタ部２２の円錐先端部２２ｂも回転駆動される。
【００７７】
次に、刃物台３について説明する。
刃物台３は、被加工物６の外周部を切削するための切削手段として設けられる部位であり、主にベース部３１やスライド部３２やバイト３３などにより構成される。
ベース部３１は、刃物台３の基部となる部位であり、平面視矩形状の板状部材によって形成される。
【００７８】
ここで、テーブル（図示せず）の上面において、被加工物６の近傍には、該被加工物６の軸心６ａに対して平行に設けられる複数のガイドレール７・７が配設される一方、ベース部３１の下面には複数のガイドブロック（図示せず）が配設される。
【００７９】
そして、ベース部３１は、前記ガイドブロックを介してガイドレール７・７の上面に連結されるとともに、該ガイドレール７・７によって被加工物６の軸心６ａに対して平行に水平移動可能に備えられる。
【００８０】
なお、ベース部３１には、サーボモータや油圧シリンダなどを駆動源とする駆動機構部（図示せず）が配設され、該駆動機構部によって、ベース部３１はガイドレール７・７上を往復移動される。
【００８１】
スライド部３２はバイト３３を保持するための部位であり、ベース部３１の上方に配設される。
スライド部３２は平面視矩形状の板状部材によって形成され、その下面には複数のガイドブロック（図示せず）が配設される。
一方、ベース部３１の上面には、被加工物６の軸心６ａに対して直角方向に設けられる複数のガイドレール８・８が配設される。
【００８２】
そして、スライド部３２は、前記ガイドブロックを介してガイドレール８・８の上面に連結されるとともに、該ガイドレール８・８によって被加工物６の軸心６ａに対して直角方向に水平移動可能に備えられる。
【００８３】
なお、スライド部３２には、サーボモータや油圧シリンダなどを駆動源とする駆動機構部（図示せず）が設けられ、該駆動機構部によって、スライド部３２はガイドレール８・８上を往復移動される。
【００８４】
バイト３３は被加工物６の外周部に直接当接して、該被加工物６の切削加工を行うための切削刃である。
バイト３３・３３・・・については、被加工物６の切削表面に関する仕上がり具合（表面粗さ）の違いから、各々刃先の形状が異なるものが複数本用意され、これら複数のバイト３３・３３・・・は、スライド部３２の上面に設けられるタレット式の支持機構部３４によって、各々固定保持される。
【００８５】
そして、これら複数のバイト３３・３３・・・の中から切削条件に見合ったバイト３３を選択するには、支持機構部３４の回転盤３４ａを回転させて、被加工物６と対向する側に選択するバイト３３を配置することによって、適切なバイト３３の選択が行われる。
【００８６】
このような構成からなる刃物台３によって被加工物６の外周部を切削するには、先ず、ベース部３１の駆動機構部を作動させて刃物台３全体を所定の位置（被加工物６の軸心６ａと直交する平面であって、被加工物６の切削箇所とバイト３３の刃先とが同一平面内となる位置）に移動させる。
【００８７】
その後、スライド部３２の駆動機構部を作動させて該スライド部３２を被加工物６に向かって移動させることで、バイト３３の刃先が被加工物６の外周部に切り込み、切削加工が行われる。
【００８８】
次に、検出ユニット４について説明する。
検出ユニット４は、被加工物６に関する軸心６ａの「芯振れ度合い」を測定する部位であり、主にベース部４１やスライド部４２やレーザーセンサー４３などにより構成される。
【００８９】
ここで、本実施例における検出ユニット４は、ベース部４１とスライド部４２に関する構造を刃物台３と共通するようにして構成される。
即ち、検出ユニット４のベース部４１は、刃物台３のベース部３１と同形状に形成される。また、ベース部４１の下面には、複数のガイドブロック（図示せず）が設けられ、該ガイドブロックを介して、ベース部４１はガイドレール７・７の上面を、被加工物６の軸心６ａに対して平行に水平移動可能に備えられる。
【００９０】
検出ユニット４のスライド部４２は、刃物台３のスライド部４２と同形状に形成される。また、スライド部４２の下面には、複数のガイドブロック（図示せず）が設けられ、該ガイドブロックを介して、スライド部４２はベース部４１の上面に設けられるガイドレール９・９の上面を、被加工物６の軸心６ａに対して直角方向に水平移動可能に備えられる。
【００９１】
さらに、これらベース部４１とスライド部４２には、サーボモータや油圧シリンダなどを駆動源とする駆動機構部（図示せず）が各々設けられ、該駆動機構部によって、ベース部４１とスライド部４２は、ガイドレール７・７・８・８上を各々往復移動される。
【００９２】
そして、スライド部４２の上面には、正面視「コ」字状に形成される支持部材４４が、下方に向かって開口するようにして配設され、前記支持部材４４を介してレーザーセンサー４３は、スライド部４２の上面に固定保持される。
【００９３】
レーザーセンサー４３は、レーザー光４３ｃを用いて被加工物６に関する軸心６ａの「芯振れ度合い」を測定する測定手段として、検出ユニット４に設けられる。
レーザーセンサー４３は、主に帯状のレーザー光４３ｃを投射する投光器４３ａと、投射されたレーザー光４３ｃを受光する受光器４３ｂとにより構成される。
【００９４】
投光器４３ａと受光器４３ｂには、各々矩形状の投光口と受光口が備えられ、これら投光口と受光口に関する上下長手方向の寸法は、被加工物６の軸心方向に沿った任意の位置における断面形状に比べて、十分大きな値となっている。
すなわち、投光器４３ａから投射される帯状のレーザー光４３ｃの上下幅寸法は、被加工物６の外径寸法よりも大きく構成されている。
【００９５】
そして、投光器４３ａ、および受光器４３ｂは、被加工物６を間に挟んで各々対峙して配設され、投光器４３ａより投射されるレーザー光４３ｃが、被加工物６の軸心６ａと直交する平面内に位置し、且つ正面視において、レーザー光４３ｃの上下方向中央部に軸心６ａが位置するようにして配設される。
【００９６】
このような構成からなる検出ユニット４によって被加工物６に関する軸心６ａの「芯振れ度合い」を測定する際は、先ず、ベース部４１の駆動機構部を作動させて検出ユニット４全体を所定の位置（被加工物６の軸心６ａと直交する平面であって、測定しようとする被加工物６の断面と、レーザー光４３ｃとが同一平面内となる位置）に移動させる。
【００９７】
そして、スライド部４２の駆動機構部を作動させて、被加工物６の軸心６ａから投光器４３ａまでの間隔と、該軸心６ａから受光器４３ｂまでの間隔とが、互いに等間隔となるように、スライド部４２の位置の微調整を行った後、「芯振れ度合い」の測定を開始する。
【００９８】
「芯振れ度合い」の測定に関する具体的方法としては、先ず、投光器４３ａより被加工物６に向かってレーザー光４３ｃを照射すると、投光器４３ａより放たれたレーザー光４３ｃは、軸心６ａに直交する帯状のレーザー光となって被加工物６に接近し、その後、該被加工物６の周囲を通過して受光器４３ｂに到達する。
【００９９】
ここで、レーザー光４３ｃは被加工物６を通過する際、該被加工物６によって一部行く手を遮られることとなる。
つまり、前述の通り、レーザー光４３ｃの幅方向に関する寸法は、被加工物６の断面形状に比べて十分大きく、且つ正面視において、レーザー光４３ｃの幅方向中央部に軸心６ａが位置することから、レーザー光４３ｃは、受光器４３ｂに到達する時点において、被加工物６によって幅方向の一端部と他端部とに分断された状態となる（受光器４３ｂで受光されるレーザー光４３ｃは、投光器４３ａから投射されたレーザー光４３ｃのうち、幅方向の一端部および他端部のレーザー光４３ｃとなり、幅方向中央部のレーザー光４３ｃは被加工物６により遮られて受光器４３ｂまで到達しない）。
【０１００】
このような状態において、軸心６ａを中心にして被加工物６を回転させると、受光器４３ｂが受光する一端部および他端部のレーザー光４３ｃは、「芯振れ度合い」に追従して、その幅方向の寸法を変化させることとなる。
【０１０１】
よって、上下一方のレーザー光４３ｃの長手方向に関する寸法の変化量を測定することで、被加工物６に関する軸心６ａの「芯振れ度合い」を用意に測定することができるのである。
【０１０２】
次に、制御装置５について説明する。
制御装置５は、前述の主軸台１や心押し台２や刃物台３や検出ユニット４などと電気的に連結され、被加工物６の切削加工など、旋削装置１００に関する運転全般を制御するためのものである。
【０１０３】
制御装置５には、被加工物６に関する切削条件を入力するためのタッチパネルやバーコードリーダー、および各種操作スイッチ類やレーザーセンサー４３などが入力手段として接続される。また、制御装置５には、主軸台１の駆動部（図示せず）や電磁式バルブユニット１８、および心押し台２の油圧駆動部（図示せず）や電磁式バルブユニット２５、および刃物台３のベース部３１とスライド部３２に各々設けられる駆動機構部、および検出ユニット４のベース部４１とスライド部４２に各々設けられる駆動機構部などが出力手段として接続される。
【０１０４】
制御装置５は、主としてＲＡＭやＲＯＭなどからなる記憶部や、ＣＰＵからなる演算処理部などを備えて構成される。
記憶部には、旋削装置１００の運転に関する様々なプログラムが格納される。また、記憶部には、演算処理部の命令により入力手段から入力された情報が一時的に保存されるようになっている。
【０１０５】
そして、被加工物６の加工条件が入力手段を介して制御装置５に入力されると、入力された情報は一旦記憶部に格納される。
その後、被加工物６の切削加工の開始命令が、入力手段を介して制御装置５に与えられると、該制御装置５は記憶部より加工条件に関する情報や、旋削装置１００の運転に関して必要なプログラムなどを読み出して演算処理部で演算処理を実行し、演算結果に基づいて、各出力手段に指令を送信し、旋削装置１００に関する切削加工が行われる。
【０１０６】
［旋削装置１００の、切削加工に関する運転方法］
次に、本実施例における旋削装置１００の、切削加工に関する運転方法について、図１乃至図４を用いて説明する。
なお、本実施例においては、被加工物６の一例であるカムシャフトのジャーナル部６ｄ・６ｄ・・・（図１を参照）を加工する場合について以下説明するが、これに限定されるものではない。
即ち、本発明を具現化する旋削装置１００は、例えばクランクシャフトなど、安定した芯振れ精度が要求される、あらゆる軸物部材からなる部品に対して対応可能な装置である。
【０１０７】
先ず、図２に示すように、主軸台１のチャック装置１２が「アンチャッキング状態」であり、且つ心押し台２のセンタ部２２が後方に十分摺動移動された位置（後方端）にある状態において、オペレータが被加工物６を旋削装置１００に投入する（ステップＳ１０１）。
【０１０８】
具体的には、チャック装置１２に具備されるセンタ部１４の円錐先端部１４ｂを、被加工物６の一端部に形成されるセンタ穴６ｂに押し当てつつ、被加工物６とセンタ部１４とが同軸上となるように、被加工物６はオペレータの手によって保持される。
【０１０９】
旋削装置１００に被加工物６が投入されると、オペレータは操作スイッチを操作する。
そして、前記操作スイッチを介して制御装置５に信号が入力されると、制御装置５は電磁式バルブユニット１８に出力信号を送信する。
【０１１０】
前記出力信号を受信した電磁式バルブユニット１８は切替え操作され、高圧用油圧配管１６ａによって送油された「高圧力」の作動油が、チャック装置１２に圧送される。
その結果、チャック装置１２は「チャッキング状態」となり、被加工物６の一端部をチャック装置１２の爪部１５・１５・・・によって、「高圧力」にてチャッキングする（ステップＳ１０２）。
【０１１１】
またその一方で、オペレータは別の操作スイッチを操作し、該操作スイッチを介して信号を入力された制御装置５は、電磁式バルブユニット２５に対して出力信号を送信する。
そして、前記出力信号を受信した電磁式バルブユニット２５は切替え操作され、心押し台２に備えられる油圧駆動部（図示せず）に作動油が圧送され、ハウジング部２３が前方に摺動移動される。
【０１１２】
その結果、センタ部２２が前方に移動し、円錐先端部２２ｂのテーパ部２２ｄが被加工物６の他端部に形成されるセンタ穴６ｃに挿嵌される。
つまり、主軸台１のセンタ部１４、および心押し台２のセンタ部２２は、被加工物６を同軸上に配設しつつ、該被加工物６の両端部を挟持（センタクランプ）する（ステップＳ１０２）。
【０１１３】
旋削装置１００への被加工物６のセッティング、即ち主軸台１、および心押し台２による被加工物６のチャッキング、およびセンタクランプが終了すれば、オペレータは運転開始用の操作スイッチを操作し、旋削装置１００による被加工物６の切削加工が開始される。
【０１１４】
即ち、運転開始用の操作スイッチを介して制御装置５に信号が入力されると、制御装置５は主軸台１に出力信号を送信する。
前記出力信号を受信した主軸台１は駆動部（図示せず）を始動させ、チャック装置１２の回転部１３を高速回転させる。これにより、チャック装置１２によってチャッキングされた被加工物６は、軸心６ａを中心にして高速回転することとなる。
【０１１５】
チャック装置１２の回転部１３が高速回転を開始すると、制御装置５は刃物台３に出力信号を送信し、該出力信号を受信した刃物台３は、被加工物６の「荒切削加工」を実行する（ステップＳ１０３）。
具体的には、制御装置５からの出力信号を受信した刃物台３は、先ずベース部３１の駆動機構部（図示せず）を始動させ、刃物台３全体を所定の位置にまで移動させる。
【０１１６】
刃物台３は、所定の位置（本実施例においては、被加工物６において、各ジャーナル部６ｄを形成する位置）にまで到達すれば、続いてスライド部３２の駆動機構部（図示せず）を始動させ、高速回転する被加工物６の表面部にバイト３３の刃先を切り込んで、「荒切削加工」を実行する。
【０１１７】
なお、「荒切削加工」では、被加工物６の最終形状とする大方の外形を形成するため、該被加工物６へのバイト３３の切り込み量を、後述する「仕上げ切削加工」に比べてより多く設定して切削加工が実行される。
【０１１８】
このような刃物台３のバイト３３による被加工物６の「荒切削加工」は、被加工物６において予め設定されている全てのジャーナル部６ｄ・６ｄ・・・に対して施されるまで、連続的に実行される。
【０１１９】
そして、刃物台３による「荒切削加工」が終了すると、制御装置５は主軸台１に出力信号を送信し、該出力信号を受信した主軸台１は、チャック装置１２の回転部１３における回転動作を一旦停止させ、これに伴い被加工物６の回転も一旦停止される。
【０１２０】
その後、制御装置５は検出ユニット４に出力信号を送信し、該出力信号を受信した検出ユニット４は、「荒切削加工」の終了した状態における被加工物６の「芯振れ度合い（Ｒ１）」を測定する（ステップＳ１０４）。
具体的には、制御装置５からの出力信号を受信した検出ユニット４は、先ずベース部４１の駆動機構部（図示せず）を始動させ、検出ユニット４全体を所定の位置、即ち被加工物６において、刃物台３のバイト３３によって「荒切削加工」がなされた箇所にまで移動させる。
【０１２１】
検出ユニット４が所定の位置にまで到達すれば、続いてスライド部４２の駆動機構部（図示せず）を始動させ、投光器４３ａと受光器４３ｂとの間に被加工物６の軸心６ａが位置するように、レーザーセンサー４３の配設位置が微調整される。
【０１２２】
その後、レーザーセンサー４３の配設位置が決定すると、制御装置５は再び主軸台１に出力信号を送信し、該出力信号を受信した主軸台１は、チャック装置１２の回転部１３を回転させ、これに伴い被加工物６も軸心６ａを中心にして回転される。
【０１２３】
被加工物６の回転が開始されると、レーザーセンサー４３の投光器４３ａはレーザー光４３ｃの投射を開始し、該レーザー光４３ｃを受光した受光器４３ｂは、被加工物６の「芯振れ度合い（Ｒ１）」に関する情報を電気信号に変換して制御装置５に送信する。
【０１２４】
そして、前記電気信号を受信した制御装置５は、「被加工物６の芯振れ度合いの基準値」として前記電気信号を記憶部に一旦格納する。
【０１２５】
その後、制御装置５は、予め記憶部に格納されたプログラムとともに、「芯振れ度合い（Ｒ１）」に関する情報を演算処理部に呼び起こし、後述する「仕上げ切削加工」に関する加工条件（例えば、バイト３３の被加工物６の切り込み量や切り込み速度など）を算出する。
【０１２６】
このように、本実施例においては、旋削装置１００によって切削加工される個々の被加工物６に対して、「荒切削加工」の終了後に「芯振れ度合い」を実際に測定し、その測定値である「芯振れ度合い（Ｒ１）」に基づいて、その後の「仕上げ切削加工」に関する加工条件を設定するようになっている。
【０１２７】
よって、焼入れの表面処理による残留応力が、外周面の全領域に渡って均一に内在しない被加工物６であっても、切削加工の際（とりわけ、後述する「仕上げ切削加工」の際）に前記残留応力が被加工物６に与える影響を極力抑え、加工後の被加工物６に対して安定した芯振れ精度を確保することができるのである。
【０１２８】
なお、このような検出ユニット４による被加工物６の「芯振れ度合い（Ｒ１）」の測定は、被加工物６の外周面上における「荒切削加工」が施された全ての箇所（ジャーナル部６ｄ・６ｄ・・・）において、連続的に実行される。
【０１２９】
検出ユニット４による被加工物６の「芯振れ度合い（Ｒ１）」の測定が終了すると、制御装置５は主軸台１の電磁式バルブユニット１８に出力信号を送信し、該出力信号を受信した電磁式バルブユニット１８は切替え操作される。
【０１３０】
その結果、チャック装置１２は「アンチャッキング状態」となり、被加工物６の一端部を、チャック装置１２の爪部１５・１５・・・によって、高圧力にてチャッキングした状態から開放する（ステップＳ１０５）。
【０１３１】
またその一方で、制御装置５は心押し台２の電磁式バルブユニット２５にも出力信号を送信し、該出力信号を受信した両電磁式バルブユニット２５は切替え操作される。
その結果、心押し台２のセンタ部２２は、テーパ部２２ｄの先端部が被加工物６のセンタ穴６ｃに挿嵌された状態（図３（ａ）を参照）より、一旦僅かに後方へと摺動移動される（図３（ｂ）を参照）。
【０１３２】
即ち、図３（ｂ）に示すように、心押し台２のセンタ部２２は、テーパ部２２ｄの先端部が、被加工物６のセンタ穴６ｃより完全に抜けきらない程度に、僅かに後方に摺動移動され、被加工物６の両端部におけるセンタクランプは、一旦開放されることとなる。
その後、センタ部２２は再び前方へと摺動移動され、被加工物６をリセンタクランプする（ステップＳ１０５）。
【０１３３】
このように、「荒切削加工」の終了後にチャック装置１２をアンチャッキングするとともに、主軸台１と心押し台２の両センタ部１４・２２によるセンタクランプを一旦開放することで、被加工物６の内部に残留する内部応力を効果的に外部に開放することができる。
【０１３４】
即ち、本実施例のステップＳ１０５にて示すように、「荒切削加工」の終了後（即ち、「仕上げ切削加工」を実行する前）に、アンチャッキング、およびリセンタクランプを実行することで、「荒切削加工」の際に被加工物６の内部に蓄積された内部応力を外部に開放することができ、自然な状態（チャッキングやセンタクランプなどによる外部からの力を全く受けない状態）において被加工物６に仕上げ切削加工を実行することが可能となる。
その結果、加工後の被加工物６に対して、安定した芯振れ精度を確保することができるのである。
【０１３５】
チャック装置１２によるアンチャッキング、および、主軸台１と心押し台２の両センタ部１４・２２によるリセンタクランプが終了すると、制御装置５は再び検出ユニット４に出力信号を送信し、該出力信号を受信した検出ユニット４は、レーザーセンサー４３により内在する内部応力が開放された状態における被加工物６の「芯振れ度合い（Ｒ２）」を測定する（ステップＳ１０６）。
【０１３６】
即ち、前述のステップＳ１０４にて示したように、検出ユニット４は、被加工物６における所定の位置まで移動し、投光器４３ａによって投射されたレーザー光４３ｃを受光器４３ｂが受光することで、被加工物６の「芯振れ度合い（Ｒ２）」を測定する。
【０１３７】
そして、受光器４３ｂは、被加工物６の「芯振れ度合い（Ｒ２）」に関する情報を電気信号に変換して制御装置５に送信し、前記電気信号を受信した制御装置５は、「内在する内部応力の開放後における被加工物６の芯振れ度合い」として、前記電気信号を記憶部に一旦格納する。
【０１３８】
なお、このような検出ユニット４による被加工物６の心振れ測定は、被加工物６の外周面上において、後述する「仕上げ切削加工」が施される全ての箇所（ジャーナル部６ｄ・６ｄ・・・）において、連続的に実行される。
【０１３９】
その後、制御装置５の演算処理部は、記憶部に格納された「芯振れ度合い（Ｒ１）」、および「芯振れ度合い（Ｒ２）」を各々呼び出して比較演算処理を実行し、その演算結果に基づいて、二種類の低圧力の内、最適なチャッキング圧を選択する（ステップＳ１０７）。
また、制御装置５の演算処理部は、予め記憶部に格納された複数の「仕上げ切削加工」の加工条件に関する情報の中から最適な加工条件を選択する。
【０１４０】
このように、本実施例における旋削装置１００においては、各々の被加工物６に対して、「荒切削加工」の終了後に測定される「芯振れ度合い（Ｒ１）」を基準にして、該「芯振れ度合い（Ｒ１）」と、アンチャッキングの終了後に測定される「芯振れ度合い（Ｒ２）」との比較演算処理を実行し、該演算結果に基づいて、最適な低圧力のチャッキング圧を選択することとしている。
よって、「仕上げ切削加工」の実行の際に被加工物６の内部に発生する内部応力を極力抑えることができ、加工後の被加工物６に対して、安定した芯振れ精度を確保することができるのである。
【０１４１】
最適なチャッキング圧が選択されると、制御装置５は電磁式バルブユニット１８に出力信号を送信する。
前記出力信号を受信した電磁式バルブユニット１８は切替え操作され、選択された何れかの低圧用油圧配管１６ｂによって送油された「低圧力」の作動油が、チャック装置１２に圧送される。
【０１４２】
その結果、チャック装置１２は「チャッキング状態」となり、被加工物６の一端部を爪部１５・１５・・・によって、「低圧力」にてチャッキングする（ステップＳ１０８）。
【０１４３】
チャック装置１２によるチャッキングが終了すると、制御装置５は主軸台１に出力信号を送信する。
前記出力信号を受信した主軸台１は再び駆動部（図示せず）を始動させ、チャック装置１２の回転部１３を高速回転させる。チャック装置１２によってチャッキングされた被加工物６は、軸心６ａを中心にして高速回転することとなる。
【０１４４】
チャック装置１２の回転部１３が高速回転を開始すると、制御装置５は出力信号とともに、「仕上げ切削加工」の加工条件に関する情報を刃物台３に送信し、該出力信号を受信した刃物台３は「仕上げ切削加工」を実行する（ステップＳ１０９）。
具体的には、制御装置５からの出力信号を受信した刃物台３は、先ずベース部３１の駆動機構部（図示せず）を始動させ、刃物台３全体を所定の位置にまで移動させる。
【０１４５】
刃物台３が所定の位置にまで到達すれば、続いてスライド部３２の駆動機構部（図示せず）を始動させ、高速回転する被加工物６の表面部にバイト３３の刃先を切り込んで、「仕上げ切削加工」を実行する。
この際、該被加工物６へのバイト３３の切り込み量や切り込み速度については、前述の「仕上げ切削加工」の加工条件に関する情報に基づいて実行される。
【０１４６】
なお、「仕上げ切削加工」では、「荒切削加工」によって大方の外形が形成された被加工物６を、最終形状の外形にまで形成するべく、該被加工物６へのバイト３３の切り込み量を、前述する「仕上げ切削加工」に比べてより少なく設定して切削加工が実行される。
【０１４７】
このような刃物台３のバイト３３による被加工物６の「仕上げ切削加工」は、予め設定されている全てのジャーナル部６ｄ・６ｄ・・・に対して施されるまで連続的に実行される。
【０１４８】
刃物台３による「仕上げ切削加工」が終了すると、制御装置５は主軸台１に出力信号を送信し、該出力信号を受信した主軸台１は、チャック装置１２の回転部１３における回転動作を停止させ、これに伴い被加工物６の回転も停止される。
【０１４９】
その後、オペレータは操作スイッチを操作し、該操作スイッチを介して制御装置５に信号が入力され、制御装置５は電磁式バルブユニット１８に出力信号を送信する。そして、前記出力信号を受信した電磁式バルブユニット１８は切替え操作される。
【０１５０】
その結果、チャック装置１２は「開き状態」となり、被加工物６の一端部を、爪部１５・１５・・・によって、「低圧力」にてチャッキングされた状態から開放（アンチャッキング）する。
【０１５１】
またその一方で、オペレータは別の操作スイッチを操作し、該操作スイッチを介して信号を入力された制御装置５は、電磁式バルブユニット２５に対して出力信号を送信する。
そして、前記出力信号を受信した電磁式バルブユニット２５は切替え操作され、心押し台２に備えられる油圧駆動部（図示せず）より作動油が排出し、ハウジング部２３が後方に摺動移動される。
【０１５２】
その結果、センタ部２２が後方に移動し、円錐先端部２２ｂのテーパ部２２ｄが被加工物６の他端部に形成されるセンタ穴６ｃより完全に離間され、被加工物６が旋削装置１００より取り出される（ステップＳ１１０）ことで、該被加工物６に関する切削加工は終了する。
【０１５３】
このような運転方法による切削加工を実行することで、旋削装置１００は、加工後の被加工物６（カムシャフト）に対して安定した芯振れ精度を確保することができるのである。
即ち、本実施例における旋削装置１００においては、被加工物６に対する切削加工を、「荒切削加工」と「仕上げ切削加工」との二段階に分けて実行し、「荒切削加工」の終了後、且つ「仕上げ切削加工」の実行前に、アンチャッキングを行うこととしており、「荒切削加工」の際に被加工物６の内部に発生し内部応力を効果的に外部に開放することが可能となる。
よって、内部応力の影響によって、「仕上げ切削」の終了後に被加工物６に歪みが発生することもなく、加工後の被加工物６に対して、安定した芯振れ精度を確保することができる。
【０１５４】
また、本実施例における旋削装置１００においては、「仕上げ切削加工」の実行の際には、低圧力のチャッキング圧によって被加工物６の一端部をチャッキングすることとしているため、高圧力のチャッキング圧によって被加工物６の一端部に捩れが発生することもなく、被加工物６は安定した状態のもとで「仕上げ切削加工」されることになり、加工後の被加工物６に対して、安定した芯振れ精度を確保することができる。
【０１５５】
なお、本実施例においては、「荒切削加工」の終了後、およびアンチャッキングの終了後に限って被加工物６の「芯振れ度合い」を測定することとしているが、これに限定されるものではない。
即ち、「仕上げ切削加工」が終了し、被加工物６（カムシャフト）の形成が完了した状態において、再度完成検査として検出ユニット４によって「芯振れ度合い」を測定することもできる。
このような、旋削装置１００の運転方式とすることで、切削加工後の被加工物６の完成検査を行う装置などを旋削装置１００と別途設ける必要もなくなり、被加工物６の成形設備全体として経済性を向上させることができる。
【０１５６】
ここで、図４を用いて、本実施例における旋削装置１００と、従来の旋削装置とにおける、被加工物６の「芯振れ度合い」に関する比較について説明する。
なお、従来の旋削装置による運転方法は、被加工物６の両端部をセンタクランプするとともに、高圧力のチャッキング圧によって該被加工物６の一端部をチャッキングした後、一回の「荒切削加工」によって最終形状を形成するようになっている。
【０１５７】
図４は、本実施例における旋削装置１００、および従来の旋削装置によって切削加工を施した、各々の被加工物６に関する「芯振れ度合い」を表したグラフであり、横軸には切削加工を施した被加工物６の加工数（本数）を、また縦軸には各被加工物６に関する「芯振れ度合い」の測定値を示すようになっている。
【０１５８】
図５のグラフに示すように、安定した良品として判断される「芯振れ度合い」の範囲（以下「製品公差」と記載する）をａ１［μｍ］からａ２［μｍ］（但しａ１＜ａ２）までの範囲とすると、従来の旋削装置においては、切削加工を施す被加工物６の本数に関係なく、「芯振れ度合い」の測定値が「製品公差」内に収まらない被加工物６がランダムに発生する。
【０１５９】
一方、本実施例の旋削装置１００においては、切削加工を施した全ての被加工物６の「芯振れ度合い」の測定値が「製品公差」内に収まっており、被加工物６に対して安定した芯振れ精度を確保できることがわかる。
【０１６０】
なお、本実施例における旋削装置１００は、二種類の低圧力のチャッキング圧を有することとしているが、これに限定されるものではなく、「仕上げ切削加工」の加工条件に対して、より適切なチャッキング圧の選択を可能とするべく三種類以上の低圧力のチャッキング圧を有することとしてもよい。
【０１６１】
なお、旋削装置１００の別実施例として、チャック装置１２に用いられる低圧力のチャッキング圧は、三種類以上からなる低圧力から選択可能な構成としてもよい。
このようなチャック装置１２の構成とすれば、「仕上げ切削加工」の加工条件に対して、より適切なチャッキング圧によって被加工物６をチャッキングすることが可能となり、加工後の被加工物６に対して、より安定した芯振れ精度を確保することができる。
【０１６２】
更に、旋削装置１００の別実施例として、電磁式バルブユニット１８の小型化や、油圧配管１７の部品点数の低減化や、制御装置５におけるプログラムの簡略化など、旋削装置１００全体のコスト低減化を図るべく、低圧力のチャッキング圧を一種類としてもよい。
【０１６３】
なお、このような構成からなる旋削装置であっても、加工後の被加工物６に対して、より安定した芯振れ精度を確保することができる。
即ち、「荒切削加工」の終了後に測定される「芯振れ度合い（Ｒ１）」に基づいて、その後の「仕上げ切削加工」に関する加工条件を設定するため、切削加工前に被加工物６に施される表面処理による残留応力の影響を受けることはない。
また、「仕上げ切削加工」の際には、一種類ではあるが、低圧力のチャッキング圧によって被加工物６をチャッキングするため、チャック装置とセンタ部との軸心のズレから生じる捻れの影響を受けることもない。
更に、「荒切削加工」の終了後、且つ「仕上げ切削加工」の実行前に、チャック装置１２のアンチャッキングを実行するため、「荒切削加工」の際に発生する内部応力などの影響を受けることもない。
【０１６４】
以上のように、本実施例における旋削装置は、軸物部材からなる被加工物６の旋削装置１００であって、前記被加工物６の端部を、高圧力のチャッキング圧と、該高圧力のチャッキング圧に比べて低圧力のチャッキング圧との何れかのチャッキング圧を選択してチャッキングしつつ、前記被加工物６の軸心６ａを中心にして前記被加工物６を駆動回転させるチャック装置（チャッキング手段）１２と、前記被加工物６の軸心６ａと交差する方向に沿って前記被加工物６に向かって移動し、前記チャック装置（チャッキング手段）１２によって駆動回転する前記被加工物６に対して、荒切削加工、および該荒切削加工の終了後に実行される仕上げ切削加工を行う刃物台（切削手段）３と、前記刃物台（切削手段）３によって切削加工された前記被加工物６の軸心６ａの芯振れ度合いを測定する検出ユニット（測定手段）４と、を備え、前記荒切削加工は、前記チャック装置（チャッキング手段）１２が前記被加工物６を高圧力のチャッキング圧でチャッキングした状態で実行され、前記仕上げ切削加工は、前記チャック装置（チャッキング手段）１２が前記被加工物６を低圧力のチャッキング圧でチャッキングした状態で実行され、前記荒切削加工の終了後、且つ前記仕上げ切削加工の実行前において、前記チャック装置（チャッキング手段）１２は、前記被加工物６を一旦アンチャッキングした後、低圧力のチャッキング圧で前記被加工物６を再びチャッキングし、前記荒切削加工の終了後、且つ前記アンチャッキングの実行前において、前記検出ユニット（測定手段）４は、前記被加工物６の軸心６ａに関する第一の芯振れ度合い（Ｒ１）を測定し、前記第一の芯振れ度合い（Ｒ１）の測定結果に基づいて、前記仕上げ切削加工に関する加工条件が設定されることとしている。
【０１６５】
また、本実施例における旋削方法は、軸物部材からなる被加工物６の旋削方法であって、前記被加工物６の端部を高圧力のチャッキング圧によってチャッキングする高圧チャッキング工程（Ｓ１０２）と、前記高圧チャッキング工程（Ｓ１０２）によってチャッキングされた前記被加工物６を、軸心６ａを中心にして駆動回転させつつ荒切削加工を実行する荒切削工程（Ｓ１０３）と、前記荒切削工程（Ｓ１０３）によって荒切削加工された前記被加工物６の軸心６ａに関する第一の芯振れ度合い（Ｒ１）を測定する第一測定工程（Ｓ１０４）と、前記第一測定工程（Ｓ１０４）の終了後、前記被加工物６の端部をアンチャッキングするアンチャッキング工程（Ｓ１０５）と、前記アンチャッキング工程（Ｓ１０５）によってアンチャッキングされた前記被加工物６の端部を、前記高圧チャッキング工程（Ｓ１０２）に比べて低圧力のチャッキング圧によって再びチャッキングする低圧チャッキング工程（Ｓ１０８）と、前記低圧チャッキング工程（Ｓ１０８）によってチャッキングされた前記被加工物６を、軸心６ａを中心にして駆動回転させつつ、前記第一の芯振れ度合い（Ｒ１）の測定結果に基づいて設定された加工条件によって仕上げ切削加工を実行する仕上げ切削工程（Ｓ１０９）と、を有するものである。
【０１６６】
このような構成を有することで、本実施例における旋削装置１００、および旋削方法に拠れば、該旋削装置１００によって切削加工される各々の被加工物６が、表面処理による残留応力の影響や、チャック装置とセンタ部との軸心のズレから生じる捻れの影響や、「荒切削加工」の際に発生する内部応力の影響などを受けることなく、切削加工後の被加工物に対して安定した芯振れ精度を確保できる。
【０１６７】
即ち、本実施例における旋削装置１００においては、該旋削装置１００によって切削加工される個々の被加工物６に対して、「荒切削加工」の終了後に基準値となる「芯振れ度合い」を実際に測定し、その測定値である「芯振れ度合い（Ｒ１）」に基づいて、その後の「仕上げ切削加工」に関する加工条件を設定するようになっている。
【０１６８】
よって、焼入れの表面処理による残留応力が、外周面の全領域に渡って均一に内在しない被加工物６であっても、「仕上げ切削加工」の際に前記残留応力が被加工物６に与える影響を極力抑え、加工後の被加工物６に対して安定した芯振れ精度を確保することができるのである。
【０１６９】
また、本実施例における旋削装置１００においては、「荒切削加工」の終了後に「仕上げ切削加工」を実行することによって被加工物６の最終形態を形成し、前記「仕上げ切削加工」の実行の際には、低圧力のチャッキング圧によって被加工物６をチャッキングすることとしている。
【０１７０】
よって、例えばチャック装置１２の軸心と、該チャック装置１２のセンタ部１４の軸心とが同軸上に存在せず僅かにズレが生じている場合においても、被加工物６の一端部を低圧力のチャッキング圧によって保持することが可能となり、該一端部に発生する捻れを効果的に低減させ、安定した芯振れ精度を確保することができるのである。
【０１７１】
更に、本実施例における旋削装置１００では、「荒切削加工」の終了後（即ち、「仕上げ切削加工」を実行する前）に、アンチャッキングを実行することで、「荒切削加工」の際に被加工物６の内部に蓄積された内部応力を外部に開放することができ、自然な状態（チャッキングやセンタクランプなどによる外部からの力を全く受けない状態）において被加工物６に仕上げ切削加工を実行することが可能となる。その結果、加工後の被加工物６に対して、安定した芯振れ精度を確保することができるのである。
【０１７２】
また、本実施例における旋削装置１００において、前記チャック装置（チャッキング手段）１２は、前記低圧力のチャッキング圧として、前記高圧力のチャッキング圧に比べて低圧力な複数種類（本実施例においては二種類）の圧力を設定可能とし、前記検出ユニット（測定手段）４は、前記アンチャッキングの実行後、且つ前記チャッキングの実行前に、前記被加工物６の軸心６ａに関する第二の芯振れ度合い（Ｒ２）を測定し、前記チャック装置（チャッキング手段）１２は、前記第一の芯振れ度合い（Ｒ１）、および前記第二の芯振れ度合い（Ｒ２）に関する測定結果に基づいて、前記仕上げ切削加工を行う際の低圧力のチャッキング圧を、前記複数種類の低圧力のチャッキング圧から選択することとしている。
【０１７３】
また、本実施例における切削方法において、前記低圧チャッキング工程（Ｓ１０８）によるチャッキング圧には、前記高圧チャッキング工程（Ｓ１０２）によるチャッキング圧に比べて低圧力な複数種類の圧力が用意され、前記アンチャッキング工程（Ｓ１０５）と前記低圧チャッキング工程（Ｓ１０８）との間には、前記アンチャッキング工程（Ｓ１０５）によってアンチャッキングした前記被加工物６の軸心６ａに関する第二の芯振れ度合い（Ｒ２）を測定する第二測定工程（Ｓ１０６）を有し、前記第一の芯振れ度合い（Ｒ１）、および前記第二の芯振れ度合い（Ｒ２）に関する測定結果に基づいて、前記低圧チャッキング工程（Ｓ１０８）にて用いる低圧力のチャッキング圧を、前記複数種類の低圧力のチャッキング圧から選択することとしている。
【０１７４】
このような構成を有することで、本実施例における旋削装置１００においては、「仕上げ切削加工」の加工条件に見合った、より最適な低圧力のチャッキング圧を選択することが可能となる。
よって、「仕上げ切削加工」の実行の際に被加工物６の内部に発生する内部応力を極力抑えることができ、加工後の被加工物６に対して、安定した芯振れ精度を確保することができるのである。
【０１７５】
また、本実施例における旋削装置１００において、前記検出ユニット（測定手段）４は、レーザー光４３ｃを用いて前記被加工物６の軸心６ａの芯振れ度合いを測定することとしている。
【０１７６】
また、本実施例における旋削方法において、前記被加工物６の軸心６ａの芯振れ度合いの測定を、レーザー光４３ｃを用いて行うこととしている。
【０１７７】
このような構成を有することで、本実施例における旋削装置１００においては、被加工物６の「芯振れ度合い」の測定値の精度を向上させることが可能となり、制御装置５の演算処理部における加工条件や、低圧力のチャッキング圧の選択など、より適確な演算結果を得ることができる。
その結果、加工後の被加工物６に対して、安定した芯振れ精度を確保することができるのである。
【符号の説明】
【０１７８】
３    刃物台（切削手段）
４    検出ユニット（測定手段）
６    被加工物
６ａ    軸心
１２    チャック装置（チャッキング手段）
４３ｃ    レーザー光
１００  旋削装置
Ｓ１０２    高圧チャッキング工程
Ｓ１０３    荒切削工程
Ｓ１０４    第一測定工程
Ｓ１０５    アンチャッキング工程
Ｓ１０６    第二測定工程
Ｓ１０８    低圧チャッキング工程
Ｓ１０９    仕上げ切削工程
【図１】
0005423411.tif 000002
【図２】
0005423411.tif 000003
【図３】
0005423411.tif 000004
【図４】
0005423411.tif 000005
【図５】
0005423411.tif 000006
【図６】
0005423411.tif 000007